(57)【要約】【課題】  カラオケを利用する場合、カラオケ会員に登録する手続きにおいて、ＩＤやパスワードの設定が求められるが、即座に思いつかない場合や登録後に忘れてしまった場合の不便さを解消する。【解決手段】  ＩＤ、パスワードを設定する際に、ＩＤ／パスワードのお勧め文字列を利用日時や利用店名、入室順等の組合せで示し、セキュリティを保ちつつ、忘れた場合も後で店スタッフが追跡可能な文字列を推奨文字列として表示してそのまま入力可能にすることにより、高齢者にも会員登録をしやすいカラオケとする。【選択図】図１
2016177710.tif 000002
【特許請求の範囲】
【請求項１】
会員サービスを行うに当たりカラオケ装置或いはカラオケ店舗に依存しない会員管理を行うネットワークカラオケシステムにおいて、
カラオケ利用の新規会員登録の際、店舗に紐づく利用者識別情報とパスワードを、設定時に提案して発行する機能をもち、
上記利用者識別情報とパスワードを発行する機能において、店舗に依存する文字列と利用者が覚えやすい簡単な数字からなる上記利用者識別情報を店舗識別情報と店舗毎の利用者情報に基づき生成して発行し、当該利用者識別情報及び当該パスワードを失念した場合に、上記覚えやすい簡単な数字により当該店舗から利用者を特定し照会できることを特徴とするネットワークカラオケシステム。
【請求項２】
前記請求項１において、利用者が前回の歌唱履歴の曲名と歌唱日時を複数の選択肢から１つを選択することにより、本人確認を行い、本人と認められる場合、パスワード入力を要せずログインできることを特徴とする請求項１記載のネットワークカラオケシステム。
【発明の詳細な説明】
【技術分野】
【０００１】
本発明は、カラオケの利用時に入力するＩＤ、パスワードを自動提案する技術に関する。
【背景技術】
【０００２】
ネットワークカラオケシステムにおいて、新たなサービスやイベントに参加する場合、店舗内等において利用者ＩＤやパスワードを設定する必要があることが多い。
【０００３】
英数字によるＩＤやパスワードはコンピュータに馴染みのある人や若い人達のような積極的利用者にとっては抵抗がないが、カラオケの利用者層はかならずしもそのような人たちではない。
【０００４】
高齢者等アルファベットが得意でない受動的利用者も少なからず存在するが、そういう人々もカラオケ利用にあたり新たなサービスやイベントに参加したい場合、利用者ＩＤやパスワードを考えること自体ハードルが高く、いきおいサービスの利用から遠ざかってしまうケースが多かった。
【０００５】
また、そのような人たちがやむを得ず利用者ＩＤやパスワードを設定した場合、きわめて簡単な文字列（ＡＡＡ・・・、ＡＢＣ・・・、１２３・・・、名前、誕生日など）になってしまうことが多く、セキュリティ上危険な設定になっていることも多い。
【０００６】
またそのような消極的利用者に対応すべく、システム側が自動的にランダムなパスワード等を提案するケースもあるが、そのような利用者は往々にして提案されて設定したパスワードをメモしないなどの理由で失念してしまっている。
【０００７】
そのため、消極的利用者はパスワードに対するハードルを越えられず、その結果サービスの利用から遠ざかることになってしまっている。
【先行技術文献】
【特許文献】
【０００８】
【特許文献１】特開２０１１−１８０６２９号公報
【特許文献２】特開２００７−２２６２９３号公報
【発明の概要】
【発明が解決しようとする課題】
【０００９】
特許文献１は、携帯端末からログイン時のパスワード入力を簡易にすることを認めるシステムを提供することを目的として、Ｗｅｂサーバと操作者サーバと携帯端末が通信で接続されたシステムにおいて、携帯端末で操作者がＷｅｂサーバにログインする時に、操作者に登録されたＩＤと仮のパスワードでログインし、Ｗｅｂサーバは操作者サーバと連携して、予め記憶媒体にあるＩＤ対応の真パスワードを取り出して、両パスワードを所定の文字数で比較することを特徴とする簡易パスワード入力システムである。
【００１０】
特許文献２は、ログイン時の入力が簡単になるとともに、他人が本人のログインＩＤ及びパスワードでログインしてしまうことが抑制され、複数の候補が抽出された場合にも
対応することができるユーザ認証方法を提供することを目的として、
生体情報の入力を受け付け、受け付けた生体情報に対応するユーザの抽出を行い、抽出されたユーザの候補を表示し、表示されたユーザの候補の中から特定ユーザの選択入力を受け付け、受け付けた特定ユーザに対応するパスワードの一部が自動入力されたユーザ認証画面を表示し、表示された前記一部が自動入力されたパスワードの補完のための入力を受け付けるものである。
【００１１】
特許文献１は、認証したい目的のサーバの他に、操作者サーバを設けるもので大掛かりであり、また仮パスワードの入力が必要となる。
一方特許文献２は、指紋のような生体認証を使用する方法で確実ではあるが、スマートフォンの指紋認証機能の実装状況はまだ限定的である。
【００１２】
そこで本発明の発明者は、専門店チェーンや飲食店チェーンなどのネットワーク化されたサービスにおいては、登録時に特定の店舗に拠らないＩＤやパスワードが発行され、どこの店舗でも同様なサービスを享受できるが、同じくネットワークサービスで全国どの店舗でも利用ができるカラオケ店においては、実際の利用者の消費行動から、利用するのは特定の店舗である場合が多く、特に高齢者にその傾向が強いという特異性に着目した。
【課題を解決するための手段】
【００１３】
上記のような問題点を解決するため、本発明の請求項１は、
会員サービスを行うに当たりカラオケ装置或いはカラオケ店舗に依存しない会員管理を行うネットワークカラオケシステムにおいて、
カラオケ利用の新規会員登録の際、店舗に紐づく利用者識別情報とパスワードを、設定時に提案して発行する機能をもち、
上記利用者識別情報とパスワードを発行する機能において、店舗に依存する文字列と利用者が覚えやすい簡単な数字からなる上記利用者識別情報を店舗識別情報と店舗毎の利用者情報に基づき生成して発行し、利用者識別情報及びパスワードを失念した場合に、上記覚えやすい簡単な数字により当該店舗から利用者を特定し照会できることを特徴とするネットワークカラオケシステムである。
【００１４】
本発明の請求項２は、
前記請求項１において、利用者が前回の歌唱履歴の曲名と歌唱日時を複数の選択肢から１つを選択することにより、本人確認を行い、本人と認められる場合、パスワード入力を要せずログインできることを特徴とする請求項１記載のネットワークカラオケシステムである。
【発明の効果】
【００１５】
これにより、利用者ＩＤやパスワードの設定が楽になり、仮に利用者ＩＤやパスワードを忘れても、店舗スタッフにより類推可能となり、失念した利用者にアドバイスすることが可能となる。
【図面の簡単な説明】
【００１６】
【図１】本発明の実施例に係る 利用者ＩＤとパスワードのイメージ図。
【図２】本発明の請求項２に係る実施例のイメージ図。
【発明を実施するための形態】
【００１７】
図１に利用者識別情報とパスワードのイメージを示す。
渋谷店（店番号０５８）へ１９番目の利用者が来店した場合、お勧め利用者ＩＤとして、Ｓｉｂｕｙａ０１９、お勧めパスワードとしてＳＢＹ１１２０が表示される。
この方法でパスワードを設定した場合、利用者がＩＤ及びパスワードを失念しても店舗スタッフが店番号と連番から推測して利用者に当該ＩＤおよびパスワードをアドバイスすることができる。
【００１８】
もちろん利用者はお勧めの利用者ＩＤとお勧めパスワードをそのまま設定してもよいし、自分の好きな文字列を新たに入力してもよい。この場合も利用者がＩＤパスワードを失念した場合、店舗スタッフは、ＩＤのみ推測できるので、当該ＩＤに対応するパスワードをシステムに照会することが可能となる。
【００１９】
実施例では、店番号と来店順の簡単な掛け算でパスワードを生成しているが、乱数を使用したり、もっと複雑な生成ロジックを使用してもよい。この場合も、使用する店番号や生成ロジックを秘匿することで、他の利用者が成りすまして利用することを防止できる。
【００２０】
本発明の請求項２にかかる実施例では、利用者ＩＤを入力した後、パスワードの設定なしで、図２のような個人を特定する複数の質問を５択で入力させる方法である。
当該ＩＤとパスワードは、会員でないと受けられないカラオケの各種サービスに留まり、個人情報と紐づくものではないが、これにより、パスワードを利用者に直接教えるというリスクをとることなく、利用者にサービスを提供することができる。
もし、当人に成りすました者がパスワードを入手した場合、次回以降も不正使用されることが予想されるが、本発明においてはパスワードなしで直接ログインできるため、仮に当人に成りすました者が偶然上記質問に答えられたとしてもその時だけログインできるに留まるのである。
【図１】
2016177710.tif 000003
【図２】
2016177710.tif 000004